(57)【要約】【課題】  携帯通信端末で検出した指紋情報の認証を、インターネット上に設けた指紋登記所にて行い、適正かつ確実な電子認証、電子決済を行えるようにする。【解決手段】  携帯通信端末１をインターネット３上の種々のウエブサイト４に対し接続して電子認証、電子決済を行う携帯通信端末の認証決済システムにおいて、携帯通信端末は、指紋センサーモードとタッチパネルモードとを共用モードとして使用できる操作パネル２０を備える。インターネット上には、該携帯通信端末が接続され、ここで検知した指紋情報を予め登録された認証指紋情報と照合することにより指紋認証を行う指紋登記所３０を備える。この指紋登記所において認証されることにより、当該携帯通信端末は、種々のウエブサイトに対しインターネットを介して接続可能に構成される。【選択図】図１
2011210221.tif 000002
【特許請求の範囲】
【請求項１】
携帯通信端末をインターネット上の種々のウエブサイトに対し接続し電子認証、電子決済するための携帯通信端末の認証決済システムであって、
前記携帯通信端末は、指紋センサーモードとタッチパネルモードとを共用モードとして使用できる操作パネルと、該操作パネルにより検知した指紋情報を外部に送出する外部信号送出手段とを備えるとともに、
前記携帯通信端末がインタネットを介して接続され、前記指紋情報が予め登録された指登録情報と照合されることにより指紋認証を行う指紋登記所を備えてなり、
前記指紋登記所で認証されることにより、当該携帯通信端末は、種々のウエブサイトに対しインターネットを介して接続可能に構成されていることを特徴とする携帯通信端末の認証決済システム。
【請求項２】
請求項１記載の携帯通信端末の認証決済システムにおいて、
前記操作パネルは、指紋センサーとしての機能を備えるとともに、該センサー面上での指先の動きまたは圧力が作用する位置の変化を感知するように構成され、
この感知情報に基づき、該携帯通信端末のディスプレイ上でのカーソルまたはポインタを移動させるように構成されていることを特徴とする携帯通信端末の認証決済システム。
【請求項３】
携帯通信端末をインターネット上の種々のウエブサイトに対し接続し電子認証、電子決済するための認証決済システムの認証決済方法であって、
前記携帯通信端末に設けられ指紋センサーモードとタッチパネルモードとを共用モードとして使用できる操作パネルと、
該操作パネルにより検知した指紋情報を予め登録された指紋登録情報と照合することにより指紋認証を行う指紋登記所とを備えてなり、
前記携帯通信端末の操作パネルのタッチパネルモードで該携帯通信端末をインターネットを介して指紋登記所に接続し、
次いで前記操作パネル上を指を接触させることにより検出した指紋情報を前記指紋登記所に送出することにより、
前記指紋登記所において予め登録されている指紋登録情報との照合が行われ、
照合することにより指紋認証が行われて電子認証、電子決済が行われることを特徴とする認証決済システムの認証決済方法。
【発明の詳細な説明】
【技術分野】
【０００１】  本発明は、指紋センサーを内蔵する指紋センサー付きの携帯通信端末の認証決済システム
およびその認証決済方法に関する。
【背景技術】
【０００２】  携帯電話端末等の携帯通信端末において、指紋センサーを装備したものが開発されており、携帯電話端末等でのセキュリティ目的で指紋認証による機器使用のためのロック解除等を行うようにしたものが従来から種々提案されている。【０００３】  例えば、携帯電話端末等において、筐体の一部に指紋センサーを露呈させて設け、操作者が指をセンサー面に接触させたり、あるいは該センサー面に接触させて動かしたりすることで、該指の指紋を読み取り、これによる指紋検知情報により指紋認証を行うようになっている（例えば、特許文献１，２参照）。【０００４】  このような指紋認証は、上記の指紋検知情報を、該端末内に予め記憶しておいた指紋認証情報と照合し、その照合、不照合で行うものが一般的であり、これにより携帯通信端末の持ち主による使用を可能とし、持ち主以外の使用は防止するようになっている。
【先行技術文献】
【特許文献】
【０００５】
【特許文献１】  特開２００８−５１４７号公報
【特許文献２】  特開２００７−８２１３９号公報
【発明の概要】
【発明が解決しようとする課題】
【０００６】  ところで、上述した携帯電話端末等の携帯通信端末において望まれることは、持ち主以外の不正使用を防止し、セキュリティ機能を確保することであるが、それ以外にも、たとえばインターネットを介しての種々のウエブサイトに対しての接続時の電子認証、電子決済等を行うこと等についての要望もある。【０００７】  ここで、この種の携帯通信端末をインタネット上の各種のウエブサイトに接続するうえで、セキュリティ上、さらに操作性の面で問題となることに、それぞれへの接続時の電子認証、電子決済等がある。特に、このような電子認証や電子決済等を行う際には、ＩＤ、パスワードなどの打ち込み処理が必要であり、これらを省略すると、セキュリティ上の問題であり、より一層簡単な操作で適切かつ確実な電子認証、電子決済等を行えることが望まれている。【０００８】  本発明はこのような事情に鑑みてなされたものであり、携帯通信端末で検出した指紋情報の認証をインターネット上に設けた指紋登記所にて行い、適正かつ確実な電子認証、電子決済を行えるとともに、該端末等の不正使用を防止し、また操作性の面でも優れている携帯通信端末の認証決済システムおよびその認証決済方法に関する。
【課題を解決するための手段】
【０００９】  このような目的に応えるために本発明（請求項１記載の発明）に係る携帯通信端末の認証決済システムは、携帯通信端末をインターネット上の種々のウエブサイトに対し接続し電子認証、電子決済するための携帯通信端末の認証決済システムであって、前記携帯通信端末は、指紋センサーモードとタッチパネルモードとを共用モードとして使用できる操作パネルと、該操作パネルにより検知した指紋情報を外部に送出する外部信号送出手段とを備えるとともに、前記携帯通信端末がインターネットを介して接続され、前記指紋情報が予め登録された指紋登録情報と照合されることにより指紋認証を行う指紋登記所を備えてなり、前記指紋登記所で認証されることにより、当該携帯通信端末は、種々のウエブサイトに対しインターネットを介して接続可能に構成されていることを特徴とする。【００１０】  本発明（請求項２記載の発明）に係る携帯通信端末の認証決済システムは、請求項１において、前記操作パネルは、指紋センサーとしての機能を備えるとともに、該センサー面上での指先の動きまたは圧力が作用する位置の変化を感知するように構成され、この感知情報に基づき、該携帯通信端末のディスプレイ上でのカーソルまたはポインタを移動させるように構成されていることを特徴とする。【００１１】  本発明（請求項３記載の発明）に係る認証決済システムの認証決済方法は、携帯通信端末をインターネット上の種々のウエブサイトに対し接続し電子認証、電子決済するための認証決済システムの認証決済方法であって、前記携帯通信端末に設けられ指紋センサーモードとタッチパネルモードとを共用モードとして使用できる操作パネルと、該操作パネルにより検知した指紋情報を予め登録された指紋登録情報と照合することにより指紋認証を行う指紋登記所とを備えてなり、前記携帯通信端末の操作パネルのタッチパネルモードで該携帯通信端末をインターネットを介して指紋登記所に接続し、次いで前記操作パネル上を指を接触させることにより検出した指紋情報を前記指紋登記所に送出することにより、前記指紋登記所において予め登録されている指紋登録情報との照合が行われ、照合することにより指紋認証が行われて電子認証、電子決済が行われることを特徴とする。
【発明の効果】
【００１２】  以上説明したように本発明に係る携帯通信端末の認証決済システムおよびその認証決済方法によれば、携帯通信端末上で指紋センサーモードとタッチパネルモードとを共用モードとして使用できる操作パネルと、該操作パネルにより検知した指紋情報を予め登録された指紋登録情報と照合することにより指紋認証を行う指紋登記所を設けることにより、簡単な構成であるにもかかわらず、携帯通信端末で検出した指紋情報の照合、認証処理をインターネット上に設けた指紋登記所にて行うことで、適正かつ確実な電子認証、電子決済を行えるとともに、該端末等の不正使用を防止し、また操作性の面でも優れている等の種々優れた効果がある。
【図面の簡単な説明】
【００１３】
【図１】  本発明に係る指紋センサー付きの携帯通信端末（携帯電話端末）を用いた認証決済システムの一実施形態を示す通信ネットワークの概略構成図である。
【図２】  指紋センサー付きの携帯通信端末（携帯電話端末）より指紋登記所への指紋を登記する説明図である。
【図３】  指紋センサー付きの携帯通信端末（携帯電話端末）の操作説明図である。
【図４】  （ａ）は指紋登記所での指紋情報の登録手順、（ｂ）は指紋登記所での指紋情報の認証手順を説明するための図である。
【図５】  指紋登記所による電子認証、電子決済手順を説明するための図である。
【発明を実施するための形態】
【００１４】  図１ないし図４は本発明に係る携帯通信端末の認証決済システムおよびその認証決済方法の一実施形態を示す。
これらの図において、符号１は携帯通信端末としての携帯電話端末であり、これらの携帯電話端末１は、プロバイダ２によりインターネット３に適宜接続され、該インターネット３を介して種々のウエブサイト４にアクセス接続可能に構成されている。
【００１５】  このような種々のウエブサイト４としては、周知の通り、様々なものが知られているが、ここでは、該ウエブサイト４との接続にあたって、電子認証、電子決済等が行われる。例えば銀行、証券、保険、ショップ、などを例示している。
【００１６】  この実施形態によれば、携帯通信端末である携帯電話端末１として、図２、図３に示すように、上、下側筐体１１，１２を備えた折り畳み式の場合を例示している。
ここで、上側筐体１１には、各種の表示を行うディスプレイ１３等が設けられている。また、下側筐体１２には、その操作面上に、ダイヤル等の操作ボタン１４やモード切換えボタン１５等が設けられている。
【００１７】  本発明による携帯電話端末１は、下側筐体１２の一部に、操作パネル２０を備えている。この操作パネル２０は、操作者の手２１で端末１を把持し、その親指２２をセンサー面に接触させることで指紋を検出する指紋センサーとしての機能を備えるとともに、タッチパネルとしての機能をも兼ね備えている。すなわち、この操作パネル２０は、該センサー面上での指先の動きまたは圧力が作用する位置の変化を感知するように構成され、この感知情報に基づき、該携帯通信端末１のディスプレイ１３上でのカーソルまたはポインタ（図示せず）を移動させるように構成されている。
【００１８】  そして、本発明によれば、このような指紋センサーとタッチパネルとの機能を備えている操作パネル２０は、指紋センサーモードとタッチパネルモードとを共用モードとして使用できるように構成されている。
なお、携帯通信端末１は、操作パネル２０により検知した指紋情報を外部に送出するＣＰＵや外部信号送出手段、さらに携帯通信端末１として必要とされる各種の機能を備えている。
【００１９】  さらに、本発明によれば、携帯通信端末１がインターネット３を介して接続され、そこで検知した指紋情報が、予め登録された指紋登録情報と照合されることにより指紋認証を行う指紋登記所３０を備えている。そして、図４（ｂ）のＳ１１〜Ｓ２５に示すように、この指紋登記所３０で認証されることにより、当該携帯通信端末１は、種々のウエブサイト４に対しインターネット３を介して接続可能に構成され、これにより携帯通信端末１をインターネット３上の種々のウエブサイト４に対し接続し電子認証、電子決済するように構成されている。
【００２０】  なお、指紋登記所３０への指紋情報の登録は、図４（ａ）のＳ１１〜Ｓ１４に示す手順等で適宜行われる。
また、図２中、３１は指紋登記所３０に設けられたセキュリティシステムである。
【００２１】  以上の構成による認証決済システムによれば、携帯通信端末１をインターネット３上の種々のウエブサイト４に対し接続して電子認証、電子決済するにあたって、携帯通信端末１に設けられた指紋センサーモードとタッチパネルモードとを共用モードとして使用できる操作パネル２０により、予め指紋登録情報を指紋登記所３０に登録することが必要である。
【００２２】  このような状況下において、図５のＳ３１〜Ｓ３６に示すように、携帯通信端末１の操作パネル２０のタッチパネルモードで該携帯通信端末１をインターネット３を介して指紋登記所３０に接続する。さらに操作パネル２０上に親指２２等の指を接触させて検出した指紋情報を前記指紋登記所３０に送出する。
【００２３】  すると、指紋登記所３０においては、予め登録されている指紋登録情報と送られてきた指紋情報との照合が行われ、合致するか否かの判定が行われ、該携帯電話端末１のアクセスを認証するか否かの判断が行われ、その判定情報が送出されることになる。
【００２４】  このような認証決済システムによれば、各ウエブサイト４は、携帯電話端末１からのアクセスがあり、電子認証、さらに電子決済が必要な場合に、当該携帯電話端末１から送られてきた指紋情報を、前記指紋登記所３０に送り、その判定を受信することで、当該携帯電話端末１が正規のユーザであるか否かを判断し、電子認証、さらには電子決済を行うことができるものである。
【００２５】  したがって、従来のようなＩＤ、パスワードのみでの認証、決済に比べて、より確実性の高い認証、決済を行うことが可能となり、セキュリティの面で優れている。
勿論、従来から知られているような携帯電話端末１の不正使用を防ぐために、指紋登記所３０を利用するようにすることもできるものである。
【００２６】  なお、本発明は上述した実施の形態で説明した構造には限定されず、携帯通信端末１を用いた認証決済システムを構成する各部の形状、構造等を適宜変形、変更し得ることはいうまでもない。
たとえば操作パネル２０を構成する指紋センサ−としては、従来から種々知られている感圧式センサーに限らず、種々の構造をもつセンサーであってもよい。要は、指紋情報を検出できればよい。
【００２７】  また、上述した携帯電話端末１等から送出する指紋情報としても、指紋そのものをスキャンした情報に限らず、指紋の主な個所のみを抽出した指紋情報であってもよく、また、それを暗号化してモデル化した簡易情報であってもよい。このような情報の簡略化を図ると、認証などにあたっての通信量が削減でき、認証速度も迅速化することになる。
【符号の説明】
【００２８】  １  携帯電話端末（携帯通信端末）
２  プロバイダ
３  インターネット
４  ウエブサイト
１１  上側筐体
１２  下側筐体
１３  ディスプレイ
１４  操作ボタン
１５  切換ボタン
２０  操作パネル
２１  手
２２  親指
３０  指紋登記所
【図１】
2011210221.tif 000003
【図２】
2011210221.tif 000004
【図３】
2011210221.tif 000005
【図４】
2011210221.tif 000006
【図５】
2011210221.tif 000007